【手続補正書】
【提出日】平成30年6月22日(2018.6.22)
【手続補正１】
【補正対象書類名】特許請求の範囲
【補正対象項目名】全文
【補正方法】変更
【補正の内容】
【特許請求の範囲】
【請求項１】
アクセスポイントのワイヤレス通信の方法であって、
１つまたは複数の局に、第２のメッセージのダウンリンク送信に基づいて前記１つまたは複数の局がアップリンクデータを送信するためのリソース割振りと特定の時間とを示す第１のメッセージを送信することと、ここにおいて、前記特定の時間が、前記第２のメッセージの前記ダウンリンク送信の後の時間期間を備える、
前記１つまたは複数の局に、前記ダウンリンク送信において前記第２のメッセージを送信することと、
前記リソース割振りに従い、前記第２のメッセージの前記ダウンリンク送信に基づいて、前記特定の時間において前記１つまたは複数の局から前記アップリンクデータを受信することと、
を備える、方法。
【請求項２】
前記第２のメッセージの前記ダウンリンク送信の後の前記時間期間が、前記第２のメッセージの前記ダウンリンク送信の後のショートフレーム間スペース（ＳＩＦＳ）またはポイントフレーム間スペース（ＰＩＦＳ）の中にある、請求項２に記載の方法。
【請求項３】
前記第１のメッセージが第１のトークンを含み、前記第２のメッセージが、前記第１のトークンに一致する第２のトークンを含む、請求項１に記載の方法。
【請求項４】
前記第１のトークンおよび前記第２のトークンが、前記第１のメッセージの前記送信の後の所定の時間期間の後に満了する、請求項３に記載の方法。
【請求項５】
局のワイヤレス通信の方法であって、
アクセスポイントから、第２のメッセージのダウンリンク送信に基づいてアップリンクデータを送信するためのリソース割振りと特定の時間とを示す第１のメッセージを受信することと、ここにおいて、前記特定の時間が、前記第２のメッセージの前記ダウンリンク送信の後の時間期間を備える、
前記アクセスポイントから、前記ダウンリンク送信において前記第２のメッセージを受信することと、
前記リソース割振りに従い、前記第２のメッセージの前記ダウンリンク送信に基づいて、前記特定の時間において前記アクセスポイントに前記アップリンクデータを送信することと、
を備える、方法。
【請求項６】
前記第２のメッセージの前記ダウンリンク送信の後の前記時間期間が、前記第２のメッセージの前記ダウンリンク送信の後のショートフレーム間スペース（ＳＩＦＳ）またはポイントフレーム間スペース（ＰＩＦＳ）の中にある、請求項５に記載の方法。
【請求項７】
前記第１のメッセージが第１のトークンを含むことを検出することと、
前記第２のメッセージが第２のトークンを含むことを検出することと、
前記第２のトークンが前記第１のトークンに一致すると決定すること、ここにおいて、前記アップリンクデータの前記送信は、前記第２のトークンが前記第１のトークンに一致するという前記決定に応答して実行される、と、
をさらに備える、請求項５に記載の方法。
【請求項８】
前記第１のトークンおよび前記第２のトークンが、前記第１のメッセージの前記受信の後の時間の所定の量の後に満了する、請求項７に記載の方法。
【請求項９】
請求項１〜４または請求項５〜８のうちのいずれか一項に記載の方法を実行するための命令を備える、コンピュータプログラム。
【請求項１０】
ワイヤレス通信のための装置であって、前記装置がアクセスポイントであり、
１つまたは複数の局に、第２のメッセージのダウンリンク送信に基づいて前記１つまたは複数の局がアップリンクデータを送信するためのリソース割振りと特定の時間とを示す第１のメッセージを送信するための手段と、ここにおいて、前記特定の時間が、前記第２のメッセージの前記ダウンリンク送信の後の時間期間を備える、
前記１つまたは複数の局に、前記ダウンリンク送信において前記第２のメッセージを送信するための手段と、
前記リソース割振りに従い、前記第２のメッセージの前記ダウンリンク送信に基づいて、前記特定の時間において前記１つまたは複数の局から前記アップリンクデータを受信するための手段と、
を備える、装置。
【請求項１１】
ワイヤレス通信のための装置であって、前記装置が局であり、
アクセスポイントから、第２のメッセージのダウンリンク送信に基づいてアップリンクデータを送信するためのリソース割振りと特定の時間とを示す第１のメッセージを受信するための手段と、ここにおいて、前記特定の時間が、前記第２のメッセージの前記ダウンリンク送信の後の時間期間を備える、
前記アクセスポイントから、前記ダウンリンク送信において前記第２のメッセージを受信するための手段と、
前記リソース割振りに従い、前記第２のメッセージの前記ダウンリンク送信に基づいて、前記特定の時間において前記アクセスポイントに前記アップリンクデータを送信するための手段と、
を備える、装置。
【手続補正２】
【補正対象書類名】明細書
【補正対象項目名】０１１９
【補正方法】変更
【補正の内容】
【０１１９】
[00141]上記は本開示の態様を対象とするが、本開示の他の態様およびさらなる態様は、それの基本的範囲から逸脱することなく考案され得、それの範囲は以下の特許請求の範囲によって決定される。
以下に本願の出願当初の特許請求の範囲に記載された発明を付記する。
[Ｃ１]  アクセスポイントのワイヤレス通信の方法であって、
１つまたは複数の局に、第２のメッセージのダウンリンク送信に基づいてアップリンクデータを送信するために前記１つまたは複数の局のためのリソース割振りと特定の時間とを示す第１のメッセージを送信することと、
前記１つまたは複数の局に、前記ダウンリンク送信において前記第２のメッセージを送信することと、
前記リソース割振りに従う前記第２のメッセージの前記ダウンリンク送信に基づいて、前記特定の時間において前記１つまたは複数の局から前記アップリンクデータを受信することと、
を備える、方法。
[Ｃ２]  前記特定の時間が、前記第２のメッセージの前記ダウンリンク送信の後の時間期間を備える、Ｃ１に記載の方法。
[Ｃ３]  前記第２のメッセージの前記ダウンリンク送信の後の前記時間期間が、前記第２のメッセージの前記ダウンリンク送信の後のショートフレーム間スペース（ＳＩＦＳ）またはポイントフレーム間スペース（ＰＩＦＳ）の中にある、Ｃ２に記載の方法。
[Ｃ４]  前記第２のメッセージは、前記第２のメッセージが前記アップリンクデータを送信するためのトリガであることを示す指示を含み、ここにおいて、前記指示が、前記第２のメッセージの物理レイヤ（ＰＨＹ）ヘッダまたはメディアアクセス制御（ＭＡＣ）ヘッダの中に含まれる、Ｃ１に記載の方法。
[Ｃ５]  前記第１のメッセージの前記送信の後および前記第２のメッセージの前記送信より前に、物理レイヤコンバージェンスプロトコル（ＰＬＣＰ）プロトコルデータユニット（ＰＰＤＵ）を送信することをさらに備え、ここにおいて、前記ＰＰＤＵは、前記ＰＰＤＵが前記アップリンクデータを送信するためのトリガであることを示す指示を含まない、Ｃ４に記載の方法。
[Ｃ６]  前記第１のメッセージが第１のトークンを含み、前記第２のメッセージが、前記第１のトークンに一致する第２のトークンを含む、Ｃ１に記載の方法。
[Ｃ７]  前記第２のトークンが、前記第２のメッセージの物理レイヤ（ＰＨＹ）ヘッダまたはメディアアクセス制御（ＭＡＣ）ヘッダの中に含まれる、Ｃ６に記載の方法。
[Ｃ８]  前記第１のトークンおよび前記第２のトークンが、前記第１のメッセージの前記送信の後の所定の時間期間の後に満了する、Ｃ６に記載の方法。
[Ｃ９]  局のワイヤレス通信の方法であって、
アクセスポイントから、第２のメッセージのダウンリンク送信に基づいてアップリンクデータを送信するためにリソース割振りと特定の時間とを示す第１のメッセージを受信することと、
前記アクセスポイントから、前記ダウンリンク送信において前記第２のメッセージを受信することと、
前記リソース割振りに従う前記第２のメッセージの前記ダウンリンク送信に基づいて、前記特定の時間において前記アクセスポイントに前記アップリンクデータを送信することと、
を備える、方法。
[Ｃ１０]  前記リソース割振りが、前記局を含む少なくとも２つの局のためのものであり、前記アップリンクデータの前記送信が、前記少なくとも２つの局のうちの別の局のアップリンク送信と同時である、Ｃ９に記載の方法。
[Ｃ１１]  前記特定の時間が、前記第２のメッセージの前記ダウンリンク送信の後の時間期間を備える、Ｃ９に記載の方法。
[Ｃ１２]  前記第２のメッセージの前記ダウンリンク送信の後の前記時間期間が、前記第２のメッセージの前記ダウンリンク送信の後のショートフレーム間スペース（ＳＩＦＳ）またはポイントフレーム間スペース（ＰＩＦＳ）の中にある、Ｃ１１に記載の方法。
[Ｃ１３]  前記第２のメッセージ中で、前記第２のメッセージが前記アップリンクデータを送信するためのトリガであることを示す指示を検出することをさらに備え、ここにおいて、前記アップリンクデータが前記指示の前記検出に応答して送信される、Ｃ１１に記載の方法。
[Ｃ１４]  前記第１のメッセージの前記受信の後および前記第２のメッセージの前記受信より前に、物理レイヤコンバージェンスプロトコル（ＰＬＣＰ）プロトコルデータユニット（ＰＰＤＵ）を受信することをさらに備え、ここにおいて、前記ＰＰＤＵは、前記ＰＰＤＵが前記アップリンクデータを送信するためのトリガであることを示す指示を含まない、Ｃ１３に記載の方法。
[Ｃ１５]  前記第１のメッセージが第１のトークンを含むことを検出することと、
前記第２のメッセージが第２のトークンを含むことを検出することと、
前記第２のトークンが前記第１のトークンに一致すると決定すること、ここにおいて、前記アップリンクデータの前記送信は、前記第２のトークンが前記第１のトークンに一致するという前記決定に応答して実行される、と、
をさらに備える、Ｃ９に記載の方法。
[Ｃ１６]  前記第２のトークンが、前記第２のメッセージの物理レイヤ（ＰＨＹ）ヘッダまたはメディアアクセス制御（ＭＡＣ）ヘッダの中に含まれる、Ｃ１５に記載の方法。
[Ｃ１７]  前記第１のトークンおよび前記第２のトークンが、前記第１のメッセージの前記受信の後の時間の所定の量の後に満了する、Ｃ１５に記載の方法。
[Ｃ１８]  ワイヤレス通信のための装置であって、前記装置がアクセスポイントであり、
メモリと、
前記メモリに結合された少なくとも１つのプロセッサと、を備え、前記少なくとも１つのプロセッサは、
１つまたは複数の局に、第２のメッセージのダウンリンク送信に基づいてアップリンクデータを送信するために前記１つまたは複数の局のためのリソース割振りと特定の時間とを示す第１のメッセージを送信することと、
前記１つまたは複数の局に、前記ダウンリンク送信において前記第２のメッセージを送信することと、
前記リソース割振りに従う前記第２のメッセージの前記ダウンリンク送信に基づいて、前記特定の時間において前記１つまたは複数の局から前記アップリンクデータを受信することと、
を行うように構成された、装置。
[Ｃ１９]  前記特定の時間が、前記第２のメッセージの前記ダウンリンク送信の後の時間期間を備える、Ｃ１８に記載の装置。
[Ｃ２０]  前記第２のメッセージの前記ダウンリンク送信の後の前記時間期間が、前記第２のメッセージの前記ダウンリンク送信の後のショートフレーム間スペース（ＳＩＦＳ）またはポイントフレーム間スペース（ＰＩＦＳ）の中にある、Ｃ１９に記載の装置。
[Ｃ２１]  前記第２のメッセージは、前記第２のメッセージが前記アップリンクデータを送信するためのトリガであることを示す指示を含み、ここにおいて、前記指示が、前記第２のメッセージの物理レイヤ（ＰＨＹ）ヘッダまたはメディアアクセス制御（ＭＡＣ）ヘッダの中に含まれる、Ｃ１８に記載の装置。
[Ｃ２２]  前記少なくとも１つのプロセッサが、前記第１のメッセージの前記送信の後および前記第２のメッセージの前記送信より前に、物理レイヤコンバージェンスプロトコル（ＰＬＣＰ）プロトコルデータユニット（ＰＰＤＵ）を送信するようにさらに構成され、ここにおいて、前記ＰＰＤＵは、前記ＰＰＤＵが前記アップリンクデータを送信するためのトリガであることを示す指示を含まない、Ｃ２１に記載の装置。
[Ｃ２３]  前記第１のメッセージが第１のトークンを含み、前記第２のメッセージが、前記第１のトークンに一致する第２のトークンを含む、Ｃ１８に記載の装置。
[Ｃ２４]  前記第２のトークンが、前記第２のメッセージの物理レイヤ（ＰＨＹ）ヘッダまたはメディアアクセス制御（ＭＡＣ）ヘッダの中に含まれる、Ｃ２３に記載の装置。
[Ｃ２５]  前記第１のトークンおよび前記第２のトークンが、前記第１のメッセージの前記送信の後の所定の時間期間の後に満了する、Ｃ２３に記載の装置。
[Ｃ２６]  ワイヤレス通信のための装置であって、前記装置が局であり、
メモリと、
前記メモリに結合された少なくとも１つのプロセッサと、を備え、前記少なくとも１つのプロセッサは、
アクセスポイントから、第２のメッセージのダウンリンク送信に基づいてアップリンクデータを送信するためにリソース割振りと特定の時間とを示す第１のメッセージを受信することと、
前記アクセスポイントから、前記ダウンリンク送信において前記第２のメッセージを受信することと、
前記リソース割振りに従う前記第２のメッセージの前記ダウンリンク送信に基づいて、前記特定の時間において前記アクセスポイントに前記アップリンクデータを送信することと、
を行うように構成された、装置。
[Ｃ２７]  前記リソース割振りが、前記局を含む少なくとも２つの局のためのものであり、前記アップリンクデータの前記送信が、前記少なくとも２つの局のうちの別の局のアップリンク送信と同時である、Ｃ２６に記載の装置。
[Ｃ２８]  前記特定の時間が、前記第２のメッセージの前記ダウンリンク送信の後の時間期間を備える、Ｃ２６に記載の装置。
[Ｃ２９]  前記第２のメッセージの前記ダウンリンク送信の後の前記時間期間が、前記第２のメッセージの前記ダウンリンク送信の後のショートフレーム間スペース（ＳＩＦＳ）またはポイントフレーム間スペース（ＰＩＦＳ）の中にある、Ｃ２８に記載の装置。
[Ｃ３０]  前記少なくとも１つのプロセッサは、前記第２のメッセージ中で、前記第２のメッセージが前記アップリンクデータを送信するためのトリガであることを示す指示を検出するようにさらに構成され、ここにおいて、前記アップリンクデータが前記指示の前記検出に応答して送信される、Ｃ２８に記載の装置。
[Ｃ３１]  前記少なくとも１つのプロセッサが、前記第１のメッセージの前記受信の後および前記第２のメッセージの前記受信より前に、物理レイヤコンバージェンスプロトコル（ＰＬＣＰ）プロトコルデータユニット（ＰＰＤＵ）を受信するようにさらに構成され、ここにおいて、前記ＰＰＤＵは、前記ＰＰＤＵが前記アップリンクデータを送信するためのトリガであることを示す指示を含まない、Ｃ３０に記載の装置。
[Ｃ３２]  前記少なくとも１つのプロセッサは、
前記第１のメッセージが第１のトークンを含むことを検出することと、
前記第２のメッセージが第２のトークンを含むことを検出することと、
前記第２のトークンが前記第１のトークンに一致すると決定すること、ここにおいて、前記アップリンクデータの前記送信は、前記第２のトークンが前記第１のトークンに一致するという前記決定に応答して実行される、と、
を行うようにさらに構成された、Ｃ２６に記載の装置。
[Ｃ３３]  前記第２のトークンが、前記第２のメッセージの物理レイヤ（ＰＨＹ）ヘッダまたはメディアアクセス制御（ＭＡＣ）ヘッダの中に含まれる、Ｃ３２に記載の装置。
[Ｃ３４]  前記第１のトークンおよび前記第２のトークンが、前記第１のメッセージの前記受信の後の時間の所定の量の後に満了する、Ｃ３２に記載の装置。
[Ｃ３５]  ワイヤレス通信のための装置であって、前記装置がアクセスポイントであり、
１つまたは複数の局に、第２のメッセージのダウンリンク送信に基づいてアップリンクデータを送信するために前記１つまたは複数の局のためのリソース割振りと特定の時間とを示す第１のメッセージを送信するための手段と、
前記１つまたは複数の局に、前記ダウンリンク送信において前記第２のメッセージを送信するための手段と、
前記リソース割振りに従う前記第２のメッセージの前記ダウンリンク送信に基づいて、前記特定の時間において前記１つまたは複数の局から前記アップリンクデータを受信するための手段と、
を備える、装置。
[Ｃ３６]  前記特定の時間が、前記第２のメッセージの前記ダウンリンク送信の後の時間期間を備える、Ｃ３５に記載の装置。
[Ｃ３７]  前記第２のメッセージの前記ダウンリンク送信の後の前記時間期間が、前記第２のメッセージの前記ダウンリンク送信の後のショートフレーム間スペース（ＳＩＦＳ）またはポイントフレーム間スペース（ＰＩＦＳ）の中にある、Ｃ３６に記載の装置。
[Ｃ３８]  前記第２のメッセージは、前記第２のメッセージが前記アップリンクデータを送信するためのトリガであることを示す指示を含み、ここにおいて、前記指示が、前記第２のメッセージの物理レイヤ（ＰＨＹ）ヘッダまたはメディアアクセス制御（ＭＡＣ）ヘッダの中に含まれる、Ｃ３５に記載の装置。
[Ｃ３９]  前記第１のメッセージの前記送信の後および前記第２のメッセージの前記送信より前に、物理レイヤコンバージェンスプロトコル（ＰＬＣＰ）プロトコルデータユニット（ＰＰＤＵ）を送信するための手段をさらに備え、ここにおいて、前記ＰＰＤＵは、前記ＰＰＤＵが前記アップリンクデータを送信するためのトリガであることを示す指示を含まない、Ｃ３８に記載の装置。
[Ｃ４０]  前記第１のメッセージが第１のトークンを含み、前記第２のメッセージが、前記第１のトークンに一致する第２のトークンを含む、Ｃ３５に記載の装置。
[Ｃ４１]  前記第２のトークンが、前記第２のメッセージの物理レイヤ（ＰＨＹ）ヘッダまたはメディアアクセス制御（ＭＡＣ）ヘッダの中に含まれる、Ｃ４０に記載の装置。
[Ｃ４２]  前記第１のトークンおよび前記第２のトークンが、前記第１のメッセージの前記送信の後の所定の時間期間の後に満了する、Ｃ４０に記載の装置。
[Ｃ４３]  ワイヤレス通信のための装置であって、前記装置が局であり、
アクセスポイントから、第２のメッセージのダウンリンク送信に基づいてアップリンクデータを送信するためにリソース割振りと特定の時間とを示す第１のメッセージを受信するための手段と、
前記アクセスポイントから、前記ダウンリンク送信において前記第２のメッセージを受信するための手段と、
前記リソース割振りに従う前記第２のメッセージの前記ダウンリンク送信に基づいて、前記特定の時間において前記アクセスポイントに前記アップリンクデータを送信するための手段と、
を備える、装置。
[Ｃ４４]  前記リソース割振りが、前記局を含む少なくとも２つの局のためのものであり、前記アップリンクデータの前記送信が、前記少なくとも２つの局のうちの別の局のアップリンク送信と同時である、Ｃ４３に記載の装置。
[Ｃ４５]  前記特定の時間が、前記第２のメッセージの前記ダウンリンク送信の後の時間期間を備える、Ｃ４３に記載の装置。
[Ｃ４６]  前記第２のメッセージの前記ダウンリンク送信の後の前記時間期間が、前記第２のメッセージの前記ダウンリンク送信の後のショートフレーム間スペース（ＳＩＦＳ）またはポイントフレーム間スペース（ＰＩＦＳ）の中にある、Ｃ４５に記載の装置。
[Ｃ４７]  前記第２のメッセージ中で、前記第２のメッセージが前記アップリンクデータを送信するためのトリガであることを示す指示を検出するための手段をさらに備え、ここにおいて、前記アップリンクデータが前記指示の前記検出に応答して送信される、Ｃ４５に記載の装置。
[Ｃ４８]  前記第１のメッセージの前記受信の後および前記第２のメッセージの前記受信より前に、物理レイヤコンバージェンスプロトコル（ＰＬＣＰ）プロトコルデータユニット（ＰＰＤＵ）を受信するための手段をさらに備え、ここにおいて、前記ＰＰＤＵは、前記ＰＰＤＵが前記アップリンクデータを送信するためのトリガであることを示す指示を含まない、Ｃ４７に記載の装置。
[Ｃ４９]  前記第１のメッセージが第１のトークンを含むことを検出するための手段と、
前記第２のメッセージが第２のトークンを含むことを検出するための手段と、
前記第２のトークンが前記第１のトークンに一致すると決定するための手段、ここにおいて、前記アップリンクデータの前記送信は、前記第２のトークンが前記第１のトークンに一致するという前記決定に応答して実行される、と、
をさらに備える、Ｃ４３に記載の装置。
[Ｃ５０]  前記第２のトークンが、前記第２のメッセージの物理レイヤ（ＰＨＹ）ヘッダまたはメディアアクセス制御（ＭＡＣ）ヘッダの中に含まれる、Ｃ４９に記載の装置。
[Ｃ５１]  前記第１のトークンおよび前記第２のトークンが、前記第１のメッセージの前記受信の後の時間の所定の量の後に満了する、Ｃ４９に記載の装置。
[Ｃ５２]  アクセスポイントにおいてワイヤレス通信のためのコンピュータ実行可能コードを記憶するコンピュータ可読媒体であって、
１つまたは複数の局に、第２のメッセージのダウンリンク送信に基づいてアップリンクデータを送信するために前記１つまたは複数の局のためのリソース割振りと特定の時間とを示す第１のメッセージを送信することと、
前記１つまたは複数の局に、前記ダウンリンク送信において前記第２のメッセージを送信することと、
前記リソース割振りに従う前記第２のメッセージの前記ダウンリンク送信に基づいて、前記特定の時間において前記１つまたは複数の局から前記アップリンクデータを受信することと、
を行うためのコードを備える、コンピュータ可読媒体。
[Ｃ５３]  局においてワイヤレス通信のためのコンピュータ実行可能コードを記憶するコンピュータ可読媒体であって、
アクセスポイントから、第２のメッセージのダウンリンク送信に基づいてアップリンクデータを送信するためにリソース割振りと特定の時間とを示す第１のメッセージを受信することと、
前記アクセスポイントから、前記ダウンリンク送信において前記第２のメッセージを受信することと、
前記リソース割振りに従う前記第２のメッセージの前記ダウンリンク送信に基づいて、前記特定の時間において前記アクセスポイントに前記アップリンクデータを送信することと、
を行うためのコードを備える、コンピュータ可読媒体。